(57)【特許請求の範囲】
【請求項１】
外部から熱を吸収し冷媒を蒸発させ冷媒蒸気を生成する蒸発器と、この蒸発器で生成した冷媒蒸気を吸収溶液に吸収させる吸収器と、この吸収器で生成した吸収溶液を加熱してこの吸収溶液から冷媒蒸気を分離させる再生器と、この再生器で分離した冷媒蒸気を凝縮させるとともに外部へ熱を放出する凝縮器と、前記吸収器内の吸収溶液を冷却させるとともに前記凝縮器が外部へ放出する熱を回収するために前記吸収器と前記凝縮器とに水を流すようにした水配管と、この水配管に介設し温水を追い焚きするボイラーと、を備えるボイラー付吸収式ヒートポンプユニットであって、
このボイラー付きヒートポンプユニットは、ケース体で覆われており、このケース体は、内部が仕切壁で第１室と第２室に仕切られ、前記第１室には、前記再生器と前記凝縮器と前記ボイラーとが配置され、前記第２室には、前記蒸発器と前記吸収器とが配置され、
前記再生器に第１加熱バーナーを設け、前記ボイラーに前記第１加熱バーナーよりも容量が大きい第２加熱バーナーを設け、
前記第１加熱バーナーは、前記ケース体の下部に配置され、前記第２加熱バーナーは、前記ケース体の上部に配置されると共に、前記第１加熱バーナーは、前記第２加熱バーナーよりも下方に離間して配置されていることを特徴とするボイラー付吸収式ヒートポンプユニット。
【請求項２】
前記ヒートポンプユニットにおける高圧側圧力と低圧側圧力の間の圧力差を第１圧力差とし、前記凝縮器の冷媒出口と前記蒸発器の冷媒入口の間の高低差によって前記冷媒が有する圧力差を第２圧力差とし、前記再生器の吸収溶液出口と前記吸収器の吸収溶液入口の間の高低差によって前記吸収溶液が有する圧力差を第３圧力差とするとき、前記第２圧力差および前記第３圧力差は、前記第１圧力差よりも小さくすることを特徴とする請求項１記載のボイラー付吸収式ヒートポンプユニット。
【請求項３】
前記凝縮器に備えられている冷媒入口と冷媒出口とは、略水平に配置されていることを特徴とする請求項２記載のボイラー付吸収式ヒートポンプユニット。
【請求項４】
前記吸収器は、吸収溶液が溜まる底部と、吸収溶液が散布される上部と、前記底部と前記上部とをつなぐ吸収配管と、この吸収配管に介在され吸収溶液を前記上部にくみ上げる循環ポンプと、前記吸収配管に介在され且つ前記循環ポンプの出力側に配置されるベンチュリ部を備えこのベンチュリ部に前記再生器に設けた吸収溶液出口から延ばした配管を接続するか、又は、前記循環ポンプの吸い込み側に前記再生器に設けた吸収溶液出口から延ばした配管を接続することを特徴とする請求項１記載のボイラー付吸収式ヒートポンプユニット。
【発明の詳細な説明】
【技術分野】
【０００１】
本発明は、ボイラー付吸収式ヒートポンプユニットの改良に関する。
【背景技術】
【０００２】
吸収式ヒートポンプユニットに、温水を追い焚きするボイラーを付設したボイラー付吸収式ヒートポンプユニットが知られている（例えば、特許文献１参照。）。
【特許文献１】英国特許第１５１９５２２号明細書（図２）
【０００３】
特許文献１の図２において、ヒートポンプユニット１０（符号は同公報のものを流用する。以下同じ。）は、外部から熱を吸収して冷媒を蒸発させる蒸発器１１と、この蒸発器１１に接続して冷媒を加圧する圧縮機１３と、この圧縮機１３に接続して冷媒の熱を外部に放出する凝縮器１２と、この凝縮器１２と蒸発器１１との間に接続した膨張弁１１’と、凝縮器１１に介在され外部に放出する熱を回収する水配管１７とを備えている。
【０００４】
凝縮器１１の出口に接続した水配管１７には、必要に応じて温水を追い焚きするボイラー２９が備えられており、水配管１７に水を通し、ヒートポンプユニット１０を通過した温水は、必要に応じてボイラー２９を用いて加熱され、加熱された温水を暖房用や給湯用に利用可能にした。
【０００５】
ところで、特許文献１の技術では、ケース体内にヒートポンプユニット１０を構成する各機器およびボイラー２９を含めた機器を収納するときに、機器相互間の位置関係については記載されていない。加えて、ヒートポンプユニット１０は圧縮式ヒートポンプである。
【０００６】
ヒートポンプにおいても、省エネルギー化が一層求められている中、電力消費量を抑制するという点からみると、圧縮式ヒートポンプに較べて電力消費量を抑えることができる吸収式ヒートポンプを採用することが考えられる。
【発明の開示】
【発明が解決しようとする課題】
【０００７】
本発明は、ボイラー付吸収式ヒートポンプユニットにおいて、熱損失を減らすことができる技術を提供することを課題とする。
【課題を解決するための手段】
【０００８】
請求項１に係る発明は、外部から熱を吸収し冷媒を蒸発させ冷媒蒸気を生成する蒸発器と、この蒸発器で生成した冷媒蒸気を吸収溶液に吸収させる吸収器と、この吸収器で生成した吸収溶液を加熱してこの吸収溶液から冷媒蒸気を分離させる再生器と、この再生器で分離した冷媒蒸気を凝縮させるとともに外部へ熱を放出する凝縮器と、吸収器内の吸収溶液を冷却させるとともに凝縮器が外部へ放出する熱を回収するために吸収器と凝縮器とに水を流すようにした水配管と、この水配管に介設し温水を追い焚きするボイラーと、を備えるボイラー付吸収式ヒートポンプユニットであって、このボイラー付ヒートポンプユニットは、ケース体で覆われており、このケース体は、内部が仕切壁で第１室と第２室に仕切られ、第１室には、再生器と凝縮器とボイラーとが配置され、第２室には、蒸発器と吸収器とが配置され、再生器に第１加熱バーナーを設け、ボイラーに第１加熱バーナーよりも容量が大きい第２加熱バーナーを設け、第１加熱バーナーは、ケース体の下部に配置され、第２加熱バーナーは、ケース体の上部に配置されると共に、第１加熱バーナーは、第２加熱バーナーよりも下方に離間して配置されていることを特徴とする。
【０００９】
請求項２に係る発明は、ヒートポンプユニットにおける高圧側圧力と低圧側圧力の間の圧力差を第１圧力差とし、凝縮器の冷媒出口と蒸発器の冷媒入口の間の高低差によって冷媒が有する圧力差を第２圧力差とし、再生器の吸収溶液出口と吸
収器の吸収溶液入口の間の高低差によって吸収溶液が有する圧力差を第３圧力差とするとき、第２圧力差および第３圧力差は、第１圧力差よりも小さくすることを特徴とする。
【００１０】
請求項３に係る発明では、凝縮器に備えられている冷媒入口と冷媒出口とは、略水平に配置されていることを特徴とする。
【００１１】
請求項４に係る発明では、吸収器は、吸収溶液が溜まる底部と、吸収溶液が散布される上部と、底部と上部とをつなぐ吸収配管と、この吸収配管に介在され吸収溶液を上部にくみ上げる循環ポンプと、吸収配管に介在され且つ循環ポンプの出力側に配置されるベンチュリ部を備えこのベンチュリ部に再生器に設けた吸収溶液出口から延ばした配管を接続するか、又は、循環ポンプの吸い込み側に再生器に設けた吸収溶液出口から延ばした配管を接続することを特徴とする。
【発明の効果】
【００１３】
請求項１に係る発明では、ケース体は、内部を仕切壁で第１室と第２室に仕切られ、第１室には、再生器と凝縮器とボイラーとが配置され、第２室には、蒸発器と吸収器とが配置されている。再生器やボイラーなどの高温側機器と、蒸発器や吸収器などの低温側機器とを仕切壁によって分離配置することで、高温側機器から低温側機器へ熱が伝わり難くなるので、熱損失が低減される。熱損失が低減されるため、各機器を効率良く運転させることができる。
また、第２加熱バーナーは、第１加熱バーナーよりも大容量であるため、第２加熱バーナーの排気管の大きさは、第１加熱バーナーの排気管の大きさよりも大きくなる。この場合に、第２加熱バーナーを第１加熱バーナーよりも上方に配置したので、排気管の構成をコンパクトにすることができる。
また、第１加熱バーナーは、第２加熱バーナーよりも下方に離間して配置されているので、高温部に局所的な高温箇所が生じることを防止することができる。
【００１４】
請求項２に係る発明では、凝縮器の冷媒出口と蒸発器の冷媒入口間の高低差によって冷媒が有する第２圧力差は、ヒートポンプユニットにおける高圧側圧力と低圧側圧力の間に生ずる第１圧力差よりも小さくした。
【００１５】
吸収式ヒートポンプは、高圧側圧力と低圧側圧力の間の圧力差を駆動力として、冷媒の循環が行われる。この場合に、第２圧力差が第１圧力差よりも小さくなれば、運転負荷が小さく、吸収式ヒートポンプにおける圧力差が小さいときでも、別個にポンプなどを介在させることなしに凝縮器から蒸発器へ冷媒を移動させることができる。
【００１６】
また、再生器の吸収溶液出口と吸収器の吸収溶液入口の間の高低差によって吸収溶液が有する第３圧力差は、ヒートポンプユニットにおける第１圧力差よりも小さくした。この場合に、第３圧力差が第１圧力差よりも小さくなれば、運転負荷が小さく、吸収式ヒートポンプにおける圧力差が小さいときでも、別個にポンプなどを介在させることなく再生器から吸収器へ吸収溶液を移動させることができる。したがって、ヒートポンプユニットにおける効率を高めることができる。
【００１７】
請求項３に係る発明では、凝縮器において、冷媒入口と冷媒出口とは略水平に配置されている。略水平に配置されていれば、冷媒入口と冷媒出口とが略垂直に配置されている場合に較べて、凝縮器の冷媒出口と蒸発器の冷媒入口間の高低差によって冷媒が有する圧力差を、小さなものにすることができる。
【００１８】
そうすれば、運転負荷が小さく、吸収式ヒートポンプにおける圧力差が小さいときでも、ポンプなどを介在させることなく凝縮器の冷媒出口から蒸発器の冷媒入口へ冷媒を移動させることができる。したがって、ヒートポンプユニットにおける効率を高めることができる。
【００１９】
請求項４に係る発明では、吸収器は、底部と上部との間をつなぐ吸収配管と、この吸収配管に介在される循環ポンプと、このポンプの出力側配管に介在されるベンチュリ部を備えこのベンチュリ部に再生器に設けた吸収溶液出口から延ばした配管を接続するか、又は、循環ポンプの吸い込み側に再生器に設けた吸収溶液出口から延ばした配管を接続する。
【００２０】
再生器から吸収器へ吸収溶液を移動させるときは、再生器と吸収器間の圧力差を利用することが一般的である。しかし、吸収式ヒートポンプの運転負荷が小さい場合に、圧力差を利用して吸収溶液を吸収器に移動させることができない虞があった。
【００２１】
この点、吸収器の底部と上部の間をつなぐ吸収配管にベンチュリ部を介在させ、このベンチュリ部に、再生器に設けた吸収溶液出口から延ばした配管を接続することで、再生器から出力された吸収溶液をベンチュリ部へ吸引させ、吸収器に容易に移動させることができる。あるいは、循環ポンプの吸い込み側に再生器に設けた吸収溶液出口から延ばした配管を接続することで、再生器から出力された吸収溶液を循環ポンプの吸込側へ吸引させ、吸収器に容易に移動させることができる。運転負荷が小さい場合であっても、別個にポンプなどを介在させることなく吸収溶液が移動するため、ヒートポンプユニットにおける効率を高めることができる。
【発明を実施するための最良の形態】
【００２３】
本発明を実施するための最良の形態を添付図に基づいて以下に説明する。なお、図面は符号の向きに見るものとする。
図１は本発明に係るボイラー付吸収式ヒートポンプユニットの構成を示す系統図であり、ボイラー付吸収式ヒートポンプユニットの一実施形態を示すものである。蒸発器１１には、冷媒としてトリフルオロエタノール（ＴＦＥ）などのフッ化アルコールが利用され、吸収器１２には、吸収剤であるＤＭＩ誘導体（ジメチルイミダゾリジノン）を含む吸収溶液が利用されている。なお、冷媒および吸収溶液は上記に限定されないものとする。
【００２４】
ボイラー付吸収式ヒートポンプユニット１０には、吸収式ヒートポンプユニット１３（以下、単に「ヒートポンプユニット１３」とも云う。）と、この吸収式ヒートポンプユニット１３に付設して設けられ吸収式ヒートポンプユニット１３で得られた温水を追い焚きするボイラー１４と、が備えられている。
【００２５】
吸収式ヒートポンプユニット１３は、例えば、地下水や外気などから吸熱するための熱源用熱交換器１６およびこの熱源用熱交換器１６に接続される冷水回路１７と、この冷水回路１７をポンプ（不図示）で循環する媒体を介して外部から熱を吸収し冷媒を蒸発させ冷媒蒸気を生成する蒸発器１１と、この蒸発器１１で生成した冷媒蒸気を吸収溶液に吸収させる吸収器１２と、この吸収器１２から延ばし冷媒蒸気を吸収した吸収溶液をポンプ（不図示）で送出する配管２１と、この配管２１に接続され吸収器１２で生成した吸収溶液を第１加熱バーナー２２で加熱してこの吸収溶液から冷媒蒸気を分離させる再生器２３と、この再生器２３の上方に設けられ冷媒蒸気の純度を上げる精留器２４と、この精留器２４から延ばし冷媒蒸気が通過する精留配管２５と、この精留配管２５の先に接続され精留器２４を通過した冷媒蒸気を凝縮させるとともに内部に設けた水配管２６を通る水を介して外部へ熱を放出する凝縮器２７と、この凝縮器２７から蒸発器１１に延ばし凝縮された冷媒が通る冷媒配管２８とを備える。冷媒配管２８の途中に、蒸発器と吸収器にまたがるように予冷器４２と、冷媒の圧力を下げる膨張弁４３とをこの順で介在させた。
【００２６】
吸収器１２は、吸収溶液が溜まる底部３１と、吸収溶液が散布される上部３２と、底部３１と上部３２とをつなぐ吸収配管３３と、この吸収配管３３に介在され吸収溶液を上部３２にくみ上げる循環ポンプ３４と、吸収配管３３に介在され且つ循環ポンプ３４の出力側に配置されるベンチュリ部３５とを備える。
【００２７】
そして、このベンチュリ部３５に再生器２３に設けた吸収溶液出口２３ｕから延ばし再生器２３で冷媒蒸気を分離させた吸収溶液が通る配管３７を接続する。吸収器１２と再生器２３とを結ぶ配管２１、３７にまたがるように吸収溶液熱交換器４１が介設されている。
【００２８】
水配管２６は、吸収器１２内の吸収溶液を冷却させるとともに凝縮器２７が外部へ放出する熱を回収するために吸収器１２と凝縮器２７とに介在されている配管であり、この順で水を流すようにした。なお、水は、水道水やエチレングリコール水溶液またはプロピレングリコール水溶液を利用することが望ましい。
【００２９】
ボイラー１４は、水配管２６の凝縮器２７の出口２７ｕ側に介設され温水を追い焚きするものであり、再生器２３に設けた第１加熱バーナー２２よりも容量が大きい第２加熱バーナー４５が設けられている。
【００３０】
蒸発器１１と吸収器１２とは、図示せぬ通路を介して連結されており、これらの空間を、低圧環境内に保持すると外部から供給された熱を吸収して蒸発器１１内の冷媒が蒸発し、図矢印ａ方向に移動して吸収器１２内に入る。なお、予冷器４２は、凝縮器２７から供給されるＴＦＥの温度を下げるとともに冷媒蒸気中に残存する霧状の冷媒を加熱して蒸気化させる作用をもつ。冷媒蒸気は、吸収器１２内に吸収配管３３により供給された吸収溶液によって吸収される。
【００３１】
再生器２３において、第１加熱バーナー２２が点火されると、吸収溶液に含まれている冷媒蒸気が分離される。精留器２４によって純度が高められた冷媒蒸気は凝縮器２７に移動され、この凝縮器２７で冷却され、凝縮液化された冷媒は、予冷器４２、減圧弁４３を経由して蒸発器１１に戻され散布される。
【００３２】
吸収器１２と凝縮器２７とボイラー１４とに介在され水が通る水配管２６は、出力配管５０によって貯湯槽用熱交換器５１と室内暖房用熱交換器５２とに接続され、これら貯湯槽用熱交換器５１と室内暖房用熱交換器５２から水配管２６にポンプ（不図示）を備えた戻り配管５３が延びており、この戻り配管５３に切換弁５４が介在され、この切換弁５４にて温水回路５５の流路が切り換えられる。したがって、暖房の際には、温水回路５５の流路は、室内暖房用熱交換器５２の側に切り換えられ、給湯の際には、温水回路５５の流路は、貯湯槽用熱交換器５１の側に切り換えられる。
【００３３】
図２は本発明に係るボイラー付吸収式ヒートポンプユニットの斜視図、図３は本発明に係るボイラー付吸収式ヒートポンプユニットの正面図である。以下、図２〜図３を参照して構成要素である各機器の説明を行う。
【００３４】
ボイラー付吸収式ヒートポンプユニット１０は、ケース体６１で覆われており、このケース体６１は、内部が仕切壁６２（図３のみ示す。）で第１室６３と第２室６４に仕切られ、第１室６３には、再生器２３と、この再生器２３の上方に連結される精留器２４と、この精留器２４の上部側方に配置される凝縮器２７と、この凝縮器２７の側方に配置されるボイラー１４とが備えられている。第２室６４には、蒸発器１１と吸収器１２とが並んで配置されている。
【００３５】
再生器２３に第１加熱バーナー２２を設け、ボイラー１４に第１加熱バーナー２２よりも容量が大きい第２加熱バーナー４５を設け、第１加熱バーナー２２と第２加熱バーナー４５はともにガスを燃料として駆動され、第１加熱バーナー２２は、第２加熱バーナー４５よりも下方に離間して配置されている。
【００３６】
第２加熱バーナー４５は、第１加熱バーナー２２よりも大容量であるため、第２加熱バーナー４５の排気管４５ｅの大きさは、第１加熱バーナー２２の排気管２２ｅの大きさよりも大きくなる。この場合に、第２加熱バーナー４５を第１加熱バーナー２２よりも上方に配置したので、排気管２２ｅ、４５ｅの構成をコンパクトにすることができる。
【００３７】
また、第１加熱バーナー２２は、第２加熱バーナー４５よりも下方に離間して配置されているので、高温部に局所的な高温箇所が生じることを防止することができる。
なお、第１加熱バーナー２２および第２加熱バーナー４５の燃料は、ガスの他、灯油その他の燃料を利用することは差し支えない。
ケース体６１の配設位置は、壁掛けまたは床置きなど任意に配設可能である。
【００３８】
以上に述べたボイラー付吸収式ヒートポンプユニットの作用を次に述べる。
ケース体６１は、内部を仕切壁６２で第１室６３と第２室６４に仕切られ、第１室６３には、再生器２３と凝縮器２７とボイラー１４とが配置され、第２室６４には、蒸発器１１と吸収器１２とが配置されている。再生器２３やボイラー１４など高温になる高温側機器６７と、蒸発器１１や吸収器１２などの低温側機器６８とを仕切壁６２によって分離配置することで、高温側機器６７から低温側機器６８へ熱が伝わり難くなるので、熱損失が低減される。熱損失が低減されるため、各機器を効率良く運転させることができる。
【００３９】
ヒートポンプユニットおよび構成機器の配置から生ずる圧力差について説明する。
ヒートポンプユニット１３における高圧側圧力と低圧側圧力の間の圧力差を第１圧力差（Ｈ１）とし、凝縮器２７の冷媒出口２７ｕと蒸発器１１の冷媒入口１１ｉの間の高低差によって冷媒が有する圧力差を第２圧力差（Ｈ２）（第２ヘッド）とし、再生器２３の吸収溶液出口２３ｕと吸収器１２の吸収溶液入口１２ｉの間の高低差によって吸収溶液が有する圧力差を第３圧力差Ｈ３（第３ヘッド）とするとき、第２圧力差Ｈ２および第３圧力差Ｈ３は、第１圧力差（Ｈ１）よりも小さくするようにした。
【００４０】
吸収式ヒートポンプユニット１３は、高圧側圧力と低圧側圧力の間の圧力差を駆動力として、冷媒の循環を行わせる。第２圧力差（Ｈ２）が第１圧力差（Ｈ１）よりも小さくなれば、運転負荷が小さく、吸収式ヒートポンプユニット１３における圧力差が小さいときでも、凝縮器２７から蒸発器１１へ冷媒を移動させることができる。
【００４１】
また、第３圧力差（Ｈ３）が第１圧力差（Ｈ１）よりも小さくなれば、運転負荷が小さく、吸収式ヒートポンプユニット１３における圧力差が小さいときでも、再生器２３から吸収器１２へ吸収溶液を移動させることができる。
【００４２】
このため、運転負荷が小さい場合であっても、ポンプなどを介在させることなしに再生器２３の吸収溶液出口２３ｕと吸収器１２の吸収溶液入口１２ｉの間に吸収溶液を通すことができ、凝縮器２７の冷媒出口２７ｕと蒸発器１１の冷媒入口１１ｉの間に冷媒を通すことができる。
【００４３】
再生器２３から吸収器１２へ吸収溶液を移動させるときは、再生器２３と吸収器１２間の圧力差を利用することが一般的である。しかし、吸収式ヒートポンプユニット１３の運転負荷が小さい場合に、圧力差を利用して吸収溶液を吸収器１２に移動させることができない虞があった。
【００４４】
この点、吸収器１２の底部３１と上部３２の間をつなぐ吸収配管３３にベンチュリ部３５を介在させ、このベンチュリ部３５に、再生器２３に設けた吸収溶液出口２３ｕから延ばした配管３７を接続することで、再生器２３から出力された吸収溶液をベンチュリ部３５へ吸引させ、吸収器１２に容易に戻すことができる。このため、運転負荷が小さい場合であっても、ポンプなどを介在させることなしに吸収溶液を循環させ、吸収式ヒートポンプユニット１３を機能させることが可能となる。したがって、ヒートポンプユニット１３における効率を高めることができる。
【００４５】
図１に戻って、ケース体６１は、内部が仕切壁６２で第１室６３と第２室６４に仕切られ、第１室６３には、再生器２３と凝縮器２７とボイラー４５とが配置され、第２室６４には、蒸発器１１と吸収器１２とが配置されている。
【００４６】
再生器２３やボイラー４５などの高温側機器と、蒸発器１１や吸収器１２などの低温側機器とを仕切壁６２によって分離配置することで、高温側機器から低温側機器へ熱が伝わり難くなるので、熱損失が低減される。熱損失が低減されるため、各機器を効率良く運転させることができる。
【００４７】
図４は図３の別実施例図であり、凝縮器２７Ｂは、長手方向に長い直方体形状を呈しており、長手方向の一端２７Ｂａと他端２７Ｂｂに冷媒入口２７Ｂｉと冷媒出口２７Ｂｕとを有し、これらの冷媒入口２７Ｂｉと冷媒出口２７Ｂｕとは、略水平に配置されている。
【００４８】
冷媒入口２７Ｂｉと冷媒出口２７Ｂｕとが略水平に配置されていれば、冷媒入口２７ｉと冷媒出口２７ｕとが略水平に配置されていない場合に較べて、凝縮器２７Ｂの冷媒出口２７Ｂｕと蒸発器１１の冷媒入口１１ｉ間の高低差によって冷媒が有する圧力差を、小さなものにすることができる。そうすれば、運転負荷が小さく、吸収式ヒートポンプユニット１３における圧力差が小さいときでも、冷媒を循環させることができる。したがって、ヒートポンプユニット１３における効率を高めることができる。
【００４９】
なお、実施例では、給湯と暖房が可能なユニットとしたが、冷房も可能である。
この場合は、冷水回路と温水回路の接続先をユニットの外部で切り換え、冷水回路を室内熱交換器へ接続して冷水を導き、温水回路をラジエータなどの放熱器に接続して温水を導くことにより行うことができる。
さらに、冷房時に、温水の一部を貯湯槽用熱交換器に導けば、冷房させながら給湯を行わせることも可能となる。
又、実施例では、再生器から出力された吸収溶液をベンチュリ部へ吸引させたが、これに代えて、再生器から出力された吸収溶液を循環ポンプの吸い込み側へ吸引させるようにしてもよい。
【産業上の利用可能性】
【００５０】
本発明は、暖房用および給湯用ボイラー付吸収式ヒートポンプユニットに好適である。
【図面の簡単な説明】
【００５１】
【図１】本発明に係るボイラー付吸収式ヒートポンプユニットの構成を示す系統図である。
【図２】本発明に係るボイラー付吸収式ヒートポンプユニットの斜視図である。
【図３】本発明に係るボイラー付吸収式ヒートポンプユニットの正面図である。
【図４】図３の別実施例図である。
【符号の説明】
【００５２】
１０…ボイラー付吸収式ヒートポンプユニット、１１…蒸発器、１２…吸収器、１４…ボイラー、２２…第１加熱バーナー、２３…再生器、２３ｕ…再生器の吸収溶液出口、２６…水配管、２７…凝縮器、２７Ｂａ…凝縮器の一端、２７Ｂｂ…凝縮器の他端、２７Ｂｉ…凝縮器の冷媒入口、２７Ｂｕ…凝縮器の冷媒出口、３１…底部、３２…上部、３３…吸収配管、３４…循環ポンプ、３５…ベンチュリ部、３７…配管、４５…第２加熱バーナー、６１…ケース体、６２…仕切壁、６３…第１室、６４…第２室。
【図１】
0005190286.tif 000002
【図２】
0005190286.tif 000003
【図３】
0005190286.tif 000004
【図４】
0005190286.tif 000005